(57)【要約】【課題】  第１の上階建物ユニットと第２の上階建物ユニットのユニット間に跨る配管の工場生産化率を高くし、配管作業性を向上すること。【解決手段】  第１の上階建物ユニット２０Ａに設けた第１の設備３１と第２の上階建物ユニット２０Ｂに設けた第２の設備３２とを配管３３Ａ、３３Ｂによりつなぐユニット建物１の配管構造において、第１の上階建物ユニット２０Ａが搭載される予定の第１の下階建物ユニット１０Ａの天井裏１４に、第１の設備３１と第２の設備３２をつなぐ予定の配管３３Ａ、３３Ｂが取付けられるもの。【選択図】  図１
2008274655.tif 000002
【特許請求の範囲】
【請求項１】
複数の下階建物ユニットそれぞれの上に上階建物ユニットを搭載し、第１の上階建物ユニットに設けた第１の設備と第２の上階建物ユニットに設けた第２の設備とを配管によりつなぐユニット建物の配管構造において、
第１又は第２の上階建物ユニットが搭載される予定の第１又は第２の下階建物ユニットの天井裏に、第１の設備と第２の設備をつなぐ予定の配管が取付けられ、
下階建物ユニットを据付けた状態で、第１の下階建物ユニットから第２の下階建物ユニットに渡るように、上記配管が延在され、
上記下階建物ユニットの上に上階建物ユニットを搭載した状態で、上記配管の一端が第１の上階建物ユニットに設けた第１の設備に接続され、該配管の他端が第２の上階建物ユニットに設けた第２の設備に接続されてなることを特徴とするユニット建物の配管構造。
【請求項２】
前記配管が各下階建物ユニットの天井枠材に設けた通管孔に通される請求項１に記載のユニット建物の配管構造。
【請求項３】
複数の下階建物ユニットそれぞれの上に上階建物ユニットを搭載し、第１の上階建物ユニットに設けた第１の設備と第２の上階建物ユニットに設けた第２の設備とを配管によりつなぐユニット建物の配管方法において、
工場で、第１又は第２の上階建物ユニットが搭載される予定の第１又は第２の下階建物ユニットの天井裏に、第１の設備と第２の設備をつなぐ予定の配管を仮置きし、
現地に下階建物ユニットを据付けた後、上記配管を第１の下階建物ユニットから第２の下階建物ユニットに渡るように延在し、
上記下階建物ユニットの上に上階建物ユニットを搭載した後、上記配管の一端を第１の上階建物ユニットに設けた第１の設備に接続し、該配管の他端を第２の上階建物ユニットに設けた第２の設備に接続することを特徴とするユニット建物の配管方法。
【請求項４】
前記配管を各下階建物ユニットの天井枠材に設けた通管孔に通す請求項３に記載のユニット建物の配管方法。
【発明の詳細な説明】
【技術分野】
【０００１】
本発明はユニット建物の配管構造及び方法に関する。
【背景技術】
【０００２】
従来、ユニット建物において、第１の２階建物ユニットに設けたパイプスペースの給水ヘッダと、第２の２階建物ユニットに設けたトイレの給水器をそれらのユニット間に跨る配管によりつなぐに際しては、現地に複数の１階建物ユニットを据付け、これらの１階建物ユニットそれぞれの上に２階建物ユニットを搭載した後、第１の２階建物ユニットのパイプスペースの給水ヘッダに接続される配管を、第１の２階建物ユニットから当該第１の２階建物ユニットの下部の１階建物ユニットの壁内及びその床下を通し、更に、第２の２階建物ユニットの下部の１階建物ユニットの床下及びその壁内を通って当該第２の２階建物ユニットまで延在し、当該第２の２階建物ユニットのトイレの給水器に接続することとしている。
【０００３】
尚、特許文献１には、１つの２階建物ユニットの中で、給水源側と給水先側を連結する配管を設けるとき、この配管を階下の１階建物ユニットの天井裏に設けるものが開示されている。
【特許文献１】実登録2579001
【発明の開示】
【発明が解決しようとする課題】
【０００４】
従来技術では、第１の２階建物ユニットと第２の２階建物ユニットのユニット間に跨る配管の施工が、現地への１階建物ユニットの据付けと２階建物ユニットの搭載の完了が前提になり、第１の２階建物ユニットの下部の１階建物ユニットの壁内及びその床下、更には第２の２階建物ユニットの下部の１階建物ユニットの床下及びその壁内を通る複雑で長い経路に渡るものになる。従って、工場生産化率を低くし、配管作業性を困難にする。
【０００５】
尚、特許文献１に記載の配管構造は、１つの２階建物ユニットの中の給水源側と給水先側をつなぐ配管に関するものであるに過ぎず、第１の２階建物ユニットと第２の２階建物ユニットのユニット間に跨る配管に関するところは一切ない。
【０００６】
本発明の課題は、第１の上階建物ユニットと第２の上階建物ユニットのユニット間に跨る配管の工場生産化率を高くし、配管作業性を向上することにある。
【課題を解決するための手段】
【０００７】
請求項１の発明は、複数の下階建物ユニットそれぞれの上に上階建物ユニットを搭載し、第１の上階建物ユニットに設けた第１の設備と第２の上階建物ユニットに設けた第２の設備とを配管によりつなぐユニット建物の配管構造において、第１又は第２の上階建物ユニットが搭載される予定の第１又は第２の下階建物ユニットの天井裏に、第１の設備と第２の設備をつなぐ予定の配管が取付けられ、下階建物ユニットを据付けた状態で、第１の下階建物ユニットから第２の下階建物ユニットに渡るように、上記配管が延在され、上記下階建物ユニットの上に上階建物ユニットを搭載した状態で、上記配管の一端が第１の上階建物ユニットに設けた第１の設備に接続され、該配管の他端が第２の上階建物ユニットに設けた第２の設備に接続されてなるようにしたものである。
【０００８】
請求項２の発明は、請求項１の発明において更に、前記配管が各下階建物ユニットの天井枠材に設けた通管孔に通されるようにしたものである。
【０００９】
請求項３の発明は、複数の下階建物ユニットそれぞれの上に上階建物ユニットを搭載し、第１の上階建物ユニットに設けた第１の設備と第２の上階建物ユニットに設けた第２の設備とを配管によりつなぐユニット建物の配管方法において、工場で、第１又は第２の上階建物ユニットが搭載される予定の第１又は第２の下階建物ユニットの天井裏に、第１の設備と第２の設備をつなぐ予定の配管を仮置きし、現地に下階建物ユニットを据付けた後、上記配管を第１の下階建物ユニットから第２の下階建物ユニットに渡るように延在し、上記下階建物ユニットの上に上階建物ユニットを搭載した後、上記配管の一端を第１の上階建物ユニットに設けた第１の設備に接続し、該配管の他端を第２の上階建物ユニットに設けた第２の設備に接続するようにしたものである。
【００１０】
請求項４の発明は、請求項３の発明において更に、前記配管を各下階建物ユニットの天井枠材に設けた通管孔に通すようにしたものである。
【発明の効果】
【００１１】
（請求項１、３）
(a)第１の上階建物ユニットに設けた第１の設備と第２の上階建物ユニットに設けた第２の設備とを配管によりつなぐとき、この配管をそれらの上階建物ユニットの階下の下階建物ユニットの天井裏に設けるものであるから、配管経路は単純で短くなる。
【００１２】
(b)上述(a)の配管を、工場で、第１又は第２の上階建物ユニットが搭載される予定の第１又は第２の下階建物ユニットの天井裏に仮置きして取付けておくことができ、工場生産化率を向上できる。
【００１３】
(c)現地では、上述(b)の既に下階建物ユニットに取付けられている配管を第１の下階建物ユニットと第２の下階建物ユニットとの間に渡るように延在し、該配管を第１の上階建物ユニットの第１の設備と第２の上階建物ユニットの第２の設備のそれぞれに接続するだけで、上階建物ユニットのユニット間に跨る配管作業が終了するから、配管作業性を向上できる。
【００１４】
（請求項２、４）
(d)上述(c)で、第１の下階建物ユニットと第２の下階建物ユニットとの間に渡る配管は、各下階建物ユニットの天井枠材に設けた通管孔に通すことで直ちに、簡易に延在できる。
【発明を実施するための最良の形態】
【００１５】
図１はユニット建物の上階の配管レイアウトを示す模式図、図２は下階建物ユニットの配管仮置き状態を示す模式図、図３は下階建物ユニットの配管延在状態を示す模式図、図４は上階建物ユニットの搭載状態を示す模式図、図５は上階建物ユニットの配管接続状態を示す模式図、図６は配管仮置き状態を示す斜視図、図７は配管延在状態を示す斜視図である。
【実施例】
【００１６】
図１〜図５は、ユニット建物１の一部を示すものであり、工場生産された複数の下階建物ユニット１０と上階建物ユニット２０を現地に輸送し、それらの下階建物ユニット１０を基礎の上に据付け、各下階建物ユニット１０それぞれの上に上階建物ユニット２０を搭載することにて構築されるものである。
【００１７】
建物ユニット１０、２０は、４本の柱１１、２１と、各柱１１、２１の下端部に接合される床構造体１２、２２と、各柱１１、２１の上端部に接合される天井構造体１３、２３からなる、箱形骨組構造体である。
【００１８】
本実施例では、第１の上階建物ユニット２０Ａに第１の設備としてのパイプスペース３１を設け、このパイプスペース３１に給水ヘッダ３１Ａ、給湯ヘッダ３１Ｂ（不図示）を備える。第２の上階建物ユニット２０Ｂに第２の設備としてのキッチン台３２を設け、このキッチン台３２に給水・給湯器３２Ａを備える。第１の上階建物ユニット２０Ａの側のパイプスペース３１の給水ヘッダ３１Ａ、給湯ヘッダ３１Ｂと、第２の上階建物ユニット２０Ｂの側のキッチン台３２の給水・給湯器３２Ａとが、本発明構造の給水配管３３Ａ、給湯配管３３Ｂにより以下の如くにつながる。尚、第１の上階建物ユニット２０Ａにはトイレ３４の給水器３４Ａ等が設けられ、パイプスペース３１の給水ヘッダ３１Ａとトイレ３４の給水器３４Ａが該上階建物ユニット２０Ａ内の配管３５によりつながれる。
【００１９】
以下、本発明の配管構造をその配管手順とともに説明する。
(1)建物ユニット１０、２０の工場生産段階で、第１の上階建物ユニット２０Ａが搭載される予定の第１の下階建物ユニット１０Ａの天井裏１４（天井構造体１３の上面）に、図２、図６に示す如く、パイプスペース３１の給水ヘッダ３１Ａ、給湯ヘッダ３１Ｂとキッチン台３２の給水・給湯器３２Ａをつなぐ予定の給水配管３３Ａ、給湯配管３３Ｂ（図２では、給湯配管３３Ｂを図示省略）を取付け、仮置きする。
【００２０】
(2)現地に輸送した下階建物ユニット１０を据付けた後、図３、図７に示す如く、第１の下階建物ユニット１０Ａの天井裏１４から、第２の上階建物ユニット２０Ｂが搭載される予定の第２の下階建物ユニット１０Ｂの天井裏１４に渡るように、給水配管３３Ａ、給湯配管３３Ｂ（図３では、給湯配管３３Ｂを図示省略）が延在される。このとき、給水配管３３Ａ、給湯配管３３Ｂは、各下階建物ユニット１０Ａ、１０Ｂの天井構造体１３の天井大梁等の天井枠材１３Ａに設けた通管孔１３Ｂに通される。
【００２１】
(3)上述(2)の下階建物ユニット１０の上に上階建物ユニット２０を搭載した後、給水配管３３Ａ、給湯配管３３Ｂの一端を第１の上階建物ユニット２０Ａに設けたパイプスペース３１の給水ヘッダ３１Ａ、給湯ヘッダ３１Ｂに接続し、給水配管３３Ａ、給湯配管３３Ｂの他端を第２の上階建物ユニット２０Ｂに設けたキッチン台３２の給水・給湯器３２Ａに接続する。この接続作業は、第１と第２の上階建物ユニット２０Ａ、２０Ｂの床構造体２２の床面材に設けてある作業孔（不図示）に手を入れて行なう。
【００２２】
本実施例によれば以下の作用効果を奏する。
(a)第１の上階建物ユニット２０Ａに設けたパイプスペース３１と第２の上階建物ユニット２０Ｂに設けたキッチン台３２とを給水配管３３Ａ、給湯配管３３Ｂによりつなぐとき、この給水配管３３Ａ、給湯配管３３Ｂをそれらの上階建物ユニット２０Ａ、２０Ｂの階下の建物ユニット１０Ａ、１０Ｂの天井裏１４に設けるものであるから、配管経路は単純で短くなる。
【００２３】
(b)上述(a)の給水配管３３Ａ、給湯配管３３Ｂを、工場で、第１の上階建物ユニット２０Ａが搭載される予定の第１の下階建物ユニット１０Ａの天井裏１４に仮置きして取付けておくことができ、工場生産化率を向上できる。
【００２４】
(c)現地では、上述(b)の既に下階建物ユニット１０Ａに取付けられている給水配管３３Ａ、給湯配管３３Ｂを第１の下階建物ユニット１０Ａと第２の下階建物ユニット１０Ｂとの間に渡るように延在し、該給水配管３３Ａ、給湯配管３３Ｂを第１の上階建物ユニット２０Ａのパイプスペース３１と第２の上階建物ユニット２０Ｂのキッチン台３２のそれぞれに接続するだけで、上階建物ユニット２０Ａ、２０Ｂのユニット間に跨る給水配管３３Ａ、給湯配管作業が終了するから、給水配管３３Ａ、給湯配管作業性を向上できる。
【００２５】
(d)上述(c)で、第１の下階建物ユニット１０Ａと第２の下階建物ユニット１０Ｂとの間に渡る給水配管３３Ａ、給湯配管３３Ｂは、各下階建物ユニット１０Ａ、１０Ｂの天井枠材１３Ａに設けた通管孔１３Ｂに通すことで直ちに、簡易に延在できる。
【００２６】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明は、第１の建物ユニット１０Ａ、２０Ａと第２の建物ユニット１０Ｂ、２０Ｂの間に、他の建物ユニットが介在し、３個以上のユニット間に跨る配管構造にも適用できる。
【図面の簡単な説明】
【００２７】
【図１】図１はユニット建物の上階の配管レイアウトを示す模式図である。
【図２】図２は下階建物ユニットの配管仮置き状態を示す模式図である。
【図３】図３は下階建物ユニットの配管延在状態を示す模式図である。
【図４】図４は上階建物ユニットの搭載状態を示す模式図である。
【図５】図５は上階建物ユニットの配管接続状態を示す模式図である。
【図６】図６は配管仮置き状態を示す斜視図である。
【図７】図７は配管延在状態を示す斜視図である。
【符号の説明】
【００２８】
１  ユニット建物
１０  下階建物ユニット
１０Ａ  第１の下階建物ユニット
１０Ｂ  第２の下階建物ユニット
１３Ａ  天井枠材
１３Ｂ  通管孔
１４  天井裏
２０  上階建物ユニット
２０Ａ  第１の上階建物ユニット
２０Ｂ  第２の上階建物ユニット
３１  パイプスペース（第１の設備）
３２  キッチン台（第２の設備）
３３Ａ、３３Ｂ  配管
【図１】
2008274655.tif 000003
【図２】
2008274655.tif 000004
【図３】
2008274655.tif 000005
【図４】
2008274655.tif 000006
【図５】
2008274655.tif 000007
【図６】
2008274655.tif 000008
【図７】
2008274655.tif 000009